(57)【特許請求の範囲】
【請求項１】
画像を形成する画像形成装置であって、
トナーによる可視画像を形成する作像ユニットと、
その内方側に前記作像ユニットを収容する本体部と、
前記本体部に着脱可能に設けられており、前記トナーがその内部に充填されており、設けられた開口部から前記作像ユニット内に前記トナーを順次供給するトナーコンテナと、
前記開口部を覆うように貼付されており、取り除きにより前記トナーコンテナ内の前記トナーを前記作像ユニットに供給可能なシール部材と、
前記本体部の外部に設けられており、押下により前記画像形成装置に電力を供給する電源スイッチと、
前記シール部材と別途設けられており、前記電源スイッチの外方側を覆うように前記本体部に貼付されており、前記本体部から除去可能に構成されており、前記シール部材の所在が表記されており、前記シール部材の取り除きの旨が表記された表記部材とを備える、画像形成装置。
【請求項２】
前記シール部材は、その一方端部を引っ張ることにより、前記開口部から取り除かれる、請求項１に記載の画像形成装置。
【請求項３】
前記表記部材は、シート状の部材で構成されている、請求項１または２に記載の画像形成装置。
【請求項４】
前記表記部材は、その上方端部の領域の裏側と下方端部の領域の裏側とが前記本体部に貼付されている、請求項１〜３のいずれか１項に記載の画像形成装置。
【請求項５】
前記表記部材には、前記シール部材の取り除きの手順が表記されている、請求項１〜４のいずれか１項に記載の画像形成装置。
【請求項６】
前記表記部材には、前記シール部材の取り除きの手順が画像で表記されている、請求項５に記載の画像形成装置。
【発明の詳細な説明】
【技術分野】
【０００１】
この発明は、画像形成装置に関するものである。
【背景技術】
【０００２】
複合機やプリンター等に代表される画像形成装置においては、画像形成部に備えられる感光体に対して画像読み取り部で読み取った画像またはネットワーク接続された外部装置から送信された画像を基に光を照射し、感光体上に静電潜像を形成する。その後、形成した静電潜像の上に帯電したトナー等の現像剤を供給して可視画像とした後、給紙された用紙に転写して定着させ、装置外に排出する。
【０００３】
画像形成装置においては、画像形成を行うに従って、トナーは順次消費される。すなわち、トナーは、消耗品である。消費されたトナーについては、その内部にトナーが充填されたトナー容器やトナーコンテナと呼ばれる部材から補給される。トナー容器については、画像形成装置に対して着脱可能に設けられている。トナー容器を備えた画像形成装置に関する技術が、特開２０１３−２５０４２８号公報（特許文献１）に開示されている。
【先行技術文献】
【特許文献】
【０００４】
【特許文献１】特開２０１３−２５０４２８号公報
【発明の概要】
【発明が解決しようとする課題】
【０００５】
従来、画像形成装置をある場所に搬送する場合、トナーが充填されたトナーコンテナと画像形成装置とをそれぞれ個別に搬送先に搬送することとしていた。この場合、トナーコンテナ内に充填されたトナーが飛散することを防止すべく、設けられたシャッターを閉状態として搬送していた。そして、搬送先に搬送後、サービスマンやユーザー等が、トナーコンテナを画像形成装置にセットして、いわゆるセットアップをすることとしていた。すなわち、搬送先にトナーコンテナと画像形成装置が搬送されてから、トナーコンテナを画像形成装置内にセットし、トナーコンテナのシャッターを開放させて閉状態から開状態として、作像ユニット内にトナーを供給可能な状態としていた。
【０００６】
昨今では、作業性の向上の観点から、画像形成装置内にトナーコンテナをセットしたまま搬送先に搬送するという要望がある。この場合、トナーコンテナについては、画像形成装置内におけるトナー飛散を防止するために、シャッターが閉状態で画像形成装置内にセットされる。また、トナーを供給するために設けられた開口部をシール部材でシールしてセットされる。
【０００７】
ここで、搬送先に搬送された際に、トナーコンテナのシャッターが閉状態のまま、すなわち、シャッターを開状態とするのを失念したまま画像形成装置を稼働させることとなると、トナーコンテナがセットされているにも関わらず、トナーコンテナ内に充填されたトナーが作像ユニットに供給されないこととなる。シール部材においてシールを剥がし忘れた場合も同様である。そうすると、即時にトナー不足となり、画像形成ができない状態に陥ることとなる。このような状態は、できるだけ回避することが望ましい。上記した特許文献１に開示の技術では、このような状態に対応することができない。
【０００８】
この発明の目的は、安定して画像を形成することができる画像形成装置を提供することである。
【課題を解決するための手段】
【０００９】
この発明の一の局面においては、画像形成装置は、画像を形成する画像形成装置である。画像形成装置は、作像ユニットと、本体部と、トナーコンテナと、シール部材と、電源スイッチと、表記部材とを備える。作像ユニットは、トナーによる可視画像を形成する。本体部は、その内方側に作像ユニットを収容する。トナーコンテナは、本体部に着脱可能に設けられている。トナーコンテナは、トナーがその内部に充填されている。トナーコンテナは、設けられた開口部から作像ユニット内にトナーを順次供給する。シール部材は、開口部を覆うように貼付されている。シール部材は、取り除きによりトナーコンテナ内のトナーを作像ユニットに供給可能である。電源スイッチは、本体部の外部に設けられており、押下により画像形成装置に電力を供給する。表記部材は、シール部材と別途設けられている。表記部材は、電源スイッチの外方側を覆うように本体部に貼付されている。表記部材は、本体部から除去可能に構成されている。表記部材には、シール部材の所在が表記されている。表記部材には、シール部材の取り除きの旨が表記されている。
【発明の効果】
【００１０】
このような画像形成装置によると、電源スイッチの外方側を覆うように表記部材が貼付されているため、ユーザーは、電源スイッチを押下する前に、表記部材の表記を確認して、シール部材を取り除く旨を認識することができる。そうすると、シール部材が取り除かれないまま、電源スイッチの押下により画像形成装置に電力が供給され、画像が形成される状態を回避することができる。すなわち、作像ユニットにトナーコンテナ内のトナーが供給されないまま、画像形成され続ける状態を回避することができる。したがって、このような画像形成装置によれば、安定して画像を形成することができる。
【図面の簡単な説明】
【００１１】
【図１】この発明の一実施形態に係る画像形成装置をプリンターに適用した場合のプリンターの外観を示す概略図である。
【図２】図１に示すプリンターの構成を示すブロック図である。
【図３】画像形成部の概略的な構成を示す外観図である。
【図４】表記部材の外観を示す図である。
【図５】プリンターが所定の場所に搬送された後、プリンターを画像形成可能な状態にする際の処理の流れを示すフローチャートである。
【図６】カバーを開放した状態を示す図である。
【図７】シール部材を取り除いた状態を示す図である。
【図８】カバーを閉じ、表記部材を取り除いた状態を示す図である。
【発明を実施するための形態】
【００１２】
以下、この発明の実施の形態を説明する。まず、この発明の一実施形態に係る画像形成装置をプリンターに適用した場合のプリンターの構成について説明する。図１は、この発明の一実施形態に係る画像形成装置をプリンターに適用した場合のプリンターの外観を示す概略図である。図２は、図１に示すプリンターの構成を示すブロック図である。
【００１３】
図１および図２を参照して、プリンター１１は、制御部１２と、操作部１３と、用紙セット部１９と、画像形成部１５と、電源スイッチ２０と、本体部４１と、表記部材４６と、ハードディスク１６と、ネットワーク２５と接続するためのネットワークインターフェース部１８とを備える。なお、理解の容易の観点から、図１および後述する図６において、表記部材４６に表記された画像の図示は省略している。
【００１４】
制御部１２は、プリンター１１全体の制御を行う。操作部１３は、プリンター１１側から発信する情報やユーザーの入力内容を表示する表示画面２１を含む。操作部１３は、デフォルトの画像形成の条件や電源のオンまたはオフをユーザーに入力させる。用紙セット部１９は、手差しで用紙をセットする手差しトレイ２８や複数枚の用紙を収納可能な給紙カセット２９を含む。用紙セット部１９には、画像形成部１５に供給される用紙がセットされる。画像形成部１５は、読み取った画像データやネットワーク２５を介して送信された画像データを基に画像を形成する。画像形成部１５は、イエロー、シアン、マゼンタ、ブラックの各４色に対応する４つの作像ユニット３２ａ、３２ｂ、３２ｃ、３２ｄを含む。本体部４１は、プリンター１１のいわゆる筐体であって、本体部４１の内方側に作像ユニット３２ａ〜３２ｄ等が収容される。本体部４１のサイド側には、本体部４１に対して開閉可能に構成されるカバー４２が設けられている。カバー４２は、一対の図示しないヒンジ部で本体部４１に取り付けられている。カバー４２は、一部に設けられた取っ手４３を利用して開閉される。四つの作像ユニット３２ａ〜３２ｄは、本体部４１に対して着脱可能に設けられている。具体的には、カバー４２を開放して、四つの作像ユニット３２ａ〜３２ｄが装着されたり、取り外されたりする。電源スイッチ２０は、押下されることによりプリンター１１に電力が供給される。電源スイッチ２０は、本体部４１の外方側に設けられている。具体的には、電源スイッチ２０は、カバー４２の横の本体部４１の角部４５に設けられている。ハードディスク１６は、送信された画像データや入力された画像形成条件等の格納を行う。
【００１５】
なお、プリンター１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。なお、図１中の矢印Ｄ１で示す方向が、プリンター１１のフロント側に向かう方向である。
【００１６】
プリンター１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を印刷する印刷部として作動する。
【００１７】
この発明の一実施形態に係るプリンター１１を含む画像形成システム２７は、上記した構成のプリンター１１と、ネットワーク２５を介してプリンター１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、プリンター１１に対して、ネットワーク２５を介して印刷要求を行って印刷をすることができる。
【００１８】
次に、プリンター１１に備えられる画像形成部１５の構成について、さらに詳細に説明する。図３は、この発明の一実施形態に係るプリンター１１の概略的な構成を示す断面図である。なお、理解の容易の観点から、図３において、部材のハッチングを省略する。また、図３は、上下方向に延びる平面でプリンター１１を切断した場合の断面図である。
【００１９】
図３を参照して、画像形成部１５は、それぞれ感光体３１ａ、３１ｂ、３１ｃ、３１ｄを含み、イエロー、シアン、マゼンタ、ブラックの各４色に対応する４つの作像ユニット３２ａ、３２ｂ、３２ｃ、３２ｄと、イエロー、シアン、マゼンタ、ブラックの各４色に対応する４つのトナーコンテナ３３ａ、３３ｂ、３３ｃ、３３ｄと、ＬＳＵ（Ｌａｓｅｒ  Ｓｃａｎｎｅｒ  Ｕｎｉｔ）３４と、中間転写体としての転写ベルト３５と、転写ベルトクリーニングユニット３７とを備える。作像ユニット３２ａ、３２ｂ、３２ｃ、３２ｄはそれぞれに、帯電ユニット、現像ユニット、およびドラムクリーニングユニットを備える。ＬＳＵ３４は、画像読み取り部１４によって読み取った画像を基に、４つの感光体３１ａ〜３１ｄにそれぞれ露光する。転写ベルト３５は、作像ユニット３２ａ〜３２ｄによって形成されたトナーによる可視画像を用紙に転写する前に一時的に転写される。転写ベルトクリーニングユニット３７は、転写ベルト３５上に残存したトナーをブレード等によって除去する。ＬＳＵ３４については、一点鎖線で概略的に示している。転写ベルトクリーニングユニット３７についても、概略的に示している。画像形成部１５は、いわゆる４連タンデム形式の現像方式である。
【００２０】
トナーコンテナ３３ａ〜３３ｄはそれぞれ、作像ユニット３２ａ〜３２ｄに含まれる感光体３１ａ〜３１ｄの軸方向の一旦側の側方に配置されるようにして設けられている。トナーコンテナ３３ａ〜３３ｄには、各色のトナーが充填されている。また、内部には、スパイラル形状を備えた図示しない搬送部材が設けられている。各トナーコンテナ３３ａ〜３３ｄをカバー４２の内側の本体部４１に装着すると、本体部４１に設けられた駆動部とそれぞれに駆動連結する。トナーコンテナ３３ａ〜３３ｄはそれぞれ、制御部１２により本体部４１の駆動部が駆動されると、搬送部材に駆動が伝達されて回転し、作像ユニット３２ａ〜３２ｄ内に各色のトナーを順次供給する。トナーコンテナ３３ａ〜３３ｄには、それぞれ作像ユニット３２ａ〜３２ｄ内にトナーを供給するための開口部が設けられている。すなわち、開口部を通じて、トナーコンテナ３３ａ〜３３ｄ内に充填された各色のトナーが作像ユニット３２ａ〜３２ｄに供給される。各トナーコンテナ３３ａ〜３３ｄの開口部には、後述するシール部材３８ａ、３８ｂ、３８ｃ、３８ｄが貼付されている。シール部材３８ａ〜３８ｄによって開口部を閉じることにより、搬送時におけるトナーコンテナ３３ａ〜３３ｄ内のプリンター１１内におけるトナー飛散を防止することができる。シール部材３８ａ〜３８ｄは、プリンター１１の搬送後、取り除かれることにより、トナーコンテナ３３ａ〜３３ｄ内のトナーが作像ユニット３２ａ〜３２ｄに供給される。
【００２１】
また、本実施形態の各トナーコンテナ３３ａ〜３３ｄの下部には、廃トナー回収部４０ａ、４０ｂ、４０ｃ、４０ｄが一体にもうけられている。感光体３１ａ〜３１ｄの表面の残留トナーは、ドラムクリーニングユニットにより除去され、廃トナー回収部４０ａ〜４０ｄにそれぞれ搬送されて回収される。よって、ユーザーは、プリンター１１の使用期間を通じて、トナーコンテナ３３ａ〜３３ｄのみを交換すればよく、取扱いが簡単である。
【００２２】
転写ベルト３５は、無端状であって、駆動ローラー３６ｂ、および従動ローラー３６ａによって一方方向に回転しながら、イエロー、シアン、マゼンタ、ブラックの４色の作像ユニット３２ａ〜３２ｄにより形成された可視画像を転写される。転写ベルト３５の回転方向は、図３中の矢印Ｄ２で示される。なお、転写ベルト３５の回転方向において、作像ユニット３２ａ〜３２ｄのうち、イエローの作像ユニット３２ａが最も上流側に配置されており、ブラックの作像ユニット３２ｄが最も下流側に配置されている。また、転写ベルトクリーニングユニット３７は、イエローの作像ユニット３２ａの上流側に配置されている。
【００２３】
転写ベルト３５上に転写されたトナーによる可視画像は、搬送されてきた用紙に転写され、図示しない定着ユニットにより用紙に定着される。定着後、用紙はプリンター１１外に排出される。トナーによる可視画像が用紙に転写された後、転写ベルト３５上に残存したトナーは、転写ベルトクリーニングユニット３７によって除去される。そして、次の画像形成が行われる。
【００２４】
プリンター１１は、ブラックの作像ユニット３２ｄのみを用いたモノクロ印刷が可能である。また、プリンター１１は、イエローの作像ユニット３２ａ、マゼンタの作像ユニット３２ｂ、およびシアンの作像ユニット３２ｃの少なくともいずれか一つを用いたカラー印刷が可能である。
【００２５】
プリンター１１は、表記部材４６を備える。表記部材４６は、電源スイッチ２０の外方側を覆うように貼付されている。具体的には、表記部材４６は、その上方端部４７ａの領域の裏側と下方端部４７ｂの領域の裏側とを糊や接着剤等で本体部４１を構成する角部４５に貼付されている。なお、表記部材４６は、テープ類で本体部４１に貼付されていてもよい。表記部材４６は、シート状の部材から構成されている。表記部材４６は、本体部４１から除去可能に構成されている。すなわち、表記部材４６は、ユーザーが手等によって、本体部４１の表面から剥がすことができる。
【００２６】
図４は、表記部材４６の外観を示す図である。図４を参照して、表記部材４６は、上側から順に並べられた四つの欄４８ａ、４８ｂ、４８ｃ、４８ｄ内に記載された四つの画像４９ａ、４９ｂ、４９ｃ、４９ｄと、一番上側の欄４８ａの横側に記載されている矢印の画像４９ｅとが示されている。具体的には、画像４９ａは、カバー４２を開くための取っ手４３の位置を示すための画像である。すなわち、表記部材４６には、シール部材３８ａ〜３８ｄの所在が表記されている。画像４９ｂは、カバー４２を開く方向およびカバー４２を開いた状態を示すための画像である。画像４９ｃは、各シール部材３８ａ〜３８ｄの位置およびシール部材３８ａ〜３８ｄを引っ張って取り除く際の引っ張る方向を示すための画像である。画像４９ｄは、表記部材４６の取り除きの方向、および電源スイッチ２０の位置を示すための画像である。画像４９ａ〜４９ｄにはそれぞれ、１、２、３、４といった番号が振られている。すなわち、表記部材４６には、シール部材３８ａ〜３８ｄの取り除きの手順が表記されている。矢印の画像４９ｅは、セットアップ時に開放するカバー４２の位置を示している。
【００２７】
次に、プリンター１１内にトナーコンテナ３３ａ〜３３ｄが収容された状態でプリンター１１が所定の場所に搬送された後、プリンター１１を画像形成可能な状態にする際の処理の流れについて説明する。図５は、この場合の処理の流れを示すフローチャートである。
【００２８】
図５を参照して、プリンター１１が所定の場所に搬送された後、まず、ユーザーは、開梱する（図５において、ステップＳ１１、以下、「ステップ」を省略する）。すなわち、プリンター１１の外方側を覆っている梱包箱や緩衝材（いずれも図示せず）を取り除く。そうすると、図１に示されるプリンター１１が表れる。
【００２９】
その後、ユーザーは、画像形成を行おうと、プリンター１１において、電源スイッチ２０の設けられている場所を探す。ここで、ユーザーは、表記部材４６を目にする。すなわち、電源スイッチ２０の設けられている場所を見つける前に、表記部材４６の存在に気付き、表記部材４６の表記内容を確認する（Ｓ１２）。この場合、電源スイッチ２０は、表記部材４６に覆われているため、表記部材４６を視認する前に電源スイッチ２０を見つけることはない。
【００３０】
ユーザーはさらに、表記部材４６に表記された画像４９ａ〜４９ｅを視認する。そして、表記部材４６の表記に沿って、セットアップ作業を行う。具体的には、画像４９ａおよび画像４９ｂに開示されている内容に沿って、まず、カバー４２を開放する（Ｓ１３）。この場合、画像４９ａによって、カバー４２を開くための取っ手４３がどこにあるかを把握することができる。カバー４２を開放した状態を、図６に示す。
【００３１】
図６を参照して、取っ手４３を持ってカバー４２を開くと、四つのトナーコンテナ３３ａ〜３３ｄの一部が露出した状態となる。また、四つのトナーコンテナ３３ａ〜３３ｄのそれぞれの開口部を閉じているシール部材３８ａ〜３８ｄの一部も露出した状態である。この場合、シール部材３８ａ〜３８ｄの下方側の端部３９ａ、３９ｂ、３９ｃ、３９ｄが下側に垂れ下がった状態となっている。
【００３２】
その後、ユーザーは、画像４９ｃに開示されている内容に沿って、シール部材３８ａ〜３８ｄを取り除く（Ｓ１４）。具体的には、画像４９ｃのイメージに沿って、シール部材３８ａ〜３８ｄのそれぞれの下方側の端部３９ａ〜３９ｄを指で持って、下側に引っ張るようにして取り除く。そして、表記部材４６を取り除く（Ｓ１５）。シール部材３８ａ〜３８ｄ、および表記部材４６を全て取り除いた状態を、図７に示す。
【００３３】
図７を参照して、シール部材３８ａ〜３８ｄが全て取り除かれた状態においては、四つのトナーコンテナ３３ａ〜３３ｄの開口部が開けられ、各々の作像ユニット３２ａ〜３２ｄにトナーコンテナ３３ａ〜３３ｄ内のトナーが供給される状態である。
【００３４】
その後、ユーザーは、カバー４２を閉鎖する（Ｓ１６）。そして、画像４９ｄに沿って、カバー４２を閉じ、表記部材４６を取り除いた状態を図８に示す。
【００３５】
図８を参照して、ユーザーは、表記部材４６が取り除かれて初めて、電源スイッチ２０の位置が把握できる。この場合、本体部４１の角部４５に電源スイッチ２０があることをユーザーは認識する。
【００３６】
その後、電源スイッチを押下する（Ｓ１７）。そうすると、プリンター１１に電力が供給される。電力が供給されると、ユーザーは、操作部１３の表示画面２１等を利用して、形成される画像の画質の調整等、各種設定を実行する（Ｓ１８）。各種設定が終了すると、プリンター１１における画像形成が可能となる。
【００３７】
このような構成のプリンター１１によれば、電源スイッチ２０の外方側を覆うように表記部材４６が貼付されているため、ユーザーは、電源スイッチ２０を押下する前に、表記部材４６の表記を確認して、シール部材３８ａ〜３８ｄを取り除く旨を認識することができる。そうすると、シール部材３８ａ〜３８ｄが取り除かれないまま、電源スイッチ２０の押下によりプリンター１１に電力が供給され、画像が形成される状態を回避することができる。すなわち、作像ユニット３２ａ〜３２ｄにトナーコンテナ３３ａ〜３３ｄ内のトナーが供給されないまま、画像形成され続ける状態を回避することができる。したがって、このようなプリンター１１によれば、安定して画像を形成することができる。
【００３８】
この場合、シール部材３８ａ〜３８ｄは、その一方端部３９ａ〜３９ｄを引っ張ることにより取り除かれる構成であるため、容易にシール部材３８ａ〜３８ｄを取り除くことができる。
【００３９】
また、この場合、表記部材４６は、シート状の部材で構成されているため、容易に表記部材４６を取り除くことができる。
【００４０】
また、この場合、表記部材４６には、シール部材３８ａ〜３８ｄの取り除きの手順が表記されているため、ユーザーは、手順を誤ることなく、シール部材３８ａ〜３８ｄを取り除くことができる。
【００４１】
なお、上記の実施の形態においては、表記部材４６は、シート状の部材で構成されていることとしたが、これに限らず、他の部材、例えば、フィルム状の部材等で構成されていてもよい。
【００４２】
また、上記の実施の形態においては、表記部材４６により完全に電源スイッチ２０が覆われていることとしたが、これに限らず、電源スイッチ２０の一部が露出している構成としてもよい。
【００４３】
なお、上記の実施の形態においては、表記部材４６の上方端部４７ａと下方端部４７ｂの二か所で表記部材４６を貼付するようにしたが、これに限らず、左右の端部の二か所で貼付するようにしてもよいし、表記部材４６の裏面全面で貼付するようにしてもよい。また、表記部材４６の上方端部４７ａ側だけで貼付し、表記部材４６を下方に垂れ下がるような構成としてもよい。
【００４４】
また、上記の実施の形態においては、画像４９ａ〜４９ｅでシール部材３８ａ〜３８ｄの取り除きの手順を表記されていることとしたが、これに限らず、文章や文字でシール部材３８ａ〜３８ｄの取り除きの手順を表記されていることとしてもよい。シール部材３８ａ〜３８ｄの所在についても、文章や文字で表記されていてもよい。また、画像４９ａ〜４９ｅと併せて表記されていてもよい。この場合、日本語に限らず、英語や中国語等、他の国の言語で表記されていてもよい。もちろん、複数の言語で並べて表記されていてもよい。
【００４５】
なお、上記の実施の形態においては、プリンター１１は、四つの作像ユニット３２ａ〜３２ｄ、および四つのトナーコンテナ３３ａ〜３３ｄを備える構成としたが、これに限らず、プリンター１１は、一つの作像ユニットおよび一つのトナーコンテナを備える構成としてもよい。
【００４６】
また、上記の実施の形態においては、表記部材４６を取り除いた後に、カバー４２を閉鎖することとしたが、これに限らず、カバー４２を閉鎖した後に、表記部材４６を取り除くようにしてもよい。すなわち、図５におけるＳ１５とＳ１６との順序を入れ替えてもよい。
【００４７】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４８】
この発明に係る画像形成装置は、安定した画像形成が要求される場合に、特に有効に利用される。
【符号の説明】
【００４９】
１１  プリンター、１２  制御部、１３  操作部、１５  画像形成部、１６  ハードディスク、１８  ネットワークインターフェース部、１９  用紙セット部、２０  電源スイッチ、２１  表示画面、２５  ネットワーク、２６ａ，２６ｂ，２６ｃ  コンピューター、２７  画像形成システム、２８  手差しトレイ、２９  給紙カセット、３１ａ，３１ｂ，３１ｃ，３１ｄ  感光体、３２ａ，３２ｂ，３２ｃ，３２ｄ  作像ユニット、３３ａ，３３ｂ，３３ｃ，３３ｄ  トナーコンテナ、３４  ＬＳＵ、３５  転写ベルト、３６ａ  従動ローラー、３６ｂ  駆動ローラー、３７  転写ベルトクリーニングユニット、３８ａ，３８ｂ，３８ｃ，３８ｄ  シール部材、３９ａ，３９ｂ，３９ｃ，３９ｄ，４７ａ，４７ｂ  端部、４０ａ，４０ｂ，４０ｃ，４０ｄ  廃トナー回収部、４１  本体部、４２  カバー、４３  取っ手、４５  角部、４６  表記部材、４８ａ，４８ｂ，４８ｃ，４８ｄ  欄、４９ａ，４９ｂ，４９ｃ，４９ｄ，４９ｅ  画像。
【図１】
0006418144.tif 000002
【図２】
0006418144.tif 000003
【図３】
0006418144.tif 000004
【図４】
0006418144.tif 000005
【図５】
0006418144.tif 000006
【図６】
0006418144.tif 000007
【図７】
0006418144.tif 000008
【図８】
0006418144.tif 000009